(57)【要約】【課題】空気調和機において、電装品箱を小型化することにより、室外機を小型化する。【解決手段】発熱部品が実装される第１の制御基板と、前記第１の制御基板を保持する第１の基板ホルダと、発熱部品でない部品が実装され前記第１の制御基板に対して略水平に取り付けられる第２の制御基板と、前記第２の制御基板を保持する第２の基板ホルダと、前記第１の制御基板に取り付けられ、圧縮機と送風ファンとを仕切る仕切板の前記送風ファン側に突出する放熱フィンとを備えるものである。【選択図】図１
2008261508.tif 000002
【特許請求の範囲】
【請求項１】
発熱部品が実装される第１の制御基板を保持し、圧縮機と送風ファンとを仕切る仕切板の上部に設置される第１の基板ホルダと、発熱部品でない部品が実装される第２の制御基板を保持し、前記仕切板の前記圧縮機側に前記第１の基板ホルダに対して略水平に設置される第２の基板ホルダと、前記第１の制御基板に取り付けられ、前記仕切板の前記送風ファン側に突出する放熱フィンとを備える空気調和機の電装品箱。
【請求項２】
前記第２の基板ホルダが、前記第２の制御基板を挿入するためのスロットを備える請求項１に記載の空気調和機の電装品箱。
【請求項３】
リアクタが、前記第２の制御基板に実装される請求項１または２に記載の空気調和機の電装品箱。
【請求項４】
請求項１〜３のいずれか１項に記載の空気調和機の電装品箱を備える空気調和機。
【発明の詳細な説明】
【技術分野】
【０００１】
本発明は、空気調和機に関し、より具体的には空気調和機の電装品箱に関するものである。
【背景技術】
【０００２】
従来、空気調和機の制御を行なうための複数の電気部品が実装された制御基板を有する電装品箱が使用されている（例えば、特許文献１参照）。
【０００３】
図３は、従来の空気調和機の電装品箱の構造の一例を示す分解斜視図である。
【０００４】
図３に示されるように、空気調和機の電装品箱２１は、インバータ等の電気部品を取り付けた基板ホルダ２２、２３と、基板ホルダ２２の上面を覆うように水平に取り付けられ、基板ホルダ２２の一側面に露出させて送風機により冷却される発熱電子部品２４、２５を取り付けた放熱フィン２６を有するプリント基板２７と、基板ホルダ２３の背面を覆うように垂直に取り付けられ、基板ホルダの背面に露出させて送風機により冷却される発熱電子部品２８を取り付けた放熱フィン２９を有するプリント基板３０とを備えたものである。
【０００５】
また、基板ホルダ２２、２３の内部にリアクタ３１が配置されており、このリアクタ３１の背面と上面をプリント基板２７、３０で覆う構成にしたものである。
【特許文献１】特開平１１−６３５７４号公報
【発明の開示】
【発明が解決しようとする課題】
【０００６】
しかしながら、上記従来の空気調和機の電装品箱では、発熱部品が第１のプリント基板および第２のプリント基板に分かれて配置されているため、放熱フィンを２個使用する必要があり、またリアクタが単体で配置され、このリアクタの周りを覆うように第１のプリント基板、および第２のプリント基板が配置されているので、電装品箱全体として小型化が困難である場合がある。
【０００７】
本発明は、上記課題を解決するためになされたもので、小型化を図ることができる電装品箱を提供することを目的とする。
【課題を解決するための手段】
【０００８】
上記課題を解決するために、本発明の空気調和機の電装品箱は、発熱部品が実装される第１の制御基板を保持し、圧縮機と送風ファンとを仕切る仕切板の上部に設置される第１の基板ホルダと、発熱部品でない部品が実装される第２の制御基板を保持し、前記仕切板の前記圧縮機側に前記第１の基板ホルダに対して略水平に設置される第２の基板ホルダと、前記第１の制御基板に取り付けられ、前記仕切板の前記送風ファン側に突出する放熱フィンとを備えるものである。
【発明の効果】
【０００９】
本発明によれば、空気調和機の電装品箱の小型化を図ることができ、ひいては、空気調和機の小型化を図ることができる。
【発明を実施するための最良の形態】
【００１０】
第１の発明は、発熱部品が実装される第１の制御基板を保持し、圧縮機と送風ファンと
を仕切る仕切板の上部に設置される第１の基板ホルダと、発熱部品でない部品が実装される第２の制御基板を保持し、前記仕切板の前記圧縮機側に前記第１の基板ホルダに対して略水平に設置される第２の基板ホルダと、前記第１の制御基板に取り付けられ、前記仕切板の前記送風ファン側に突出する放熱フィンとを備えるものである。これによって、電装品箱の小型化が可能である。
【００１１】
第２の発明は、第１の発明において、前記第２の基板ホルダが、前記第２の制御基板を挿入するためのスロットを備えるものである。これによって、電装品箱の小型化が可能となり、且つ、第２の制御基板を取り付け容易とすることが可能となる。
【００１２】
第３の発明は、第１または第２の発明において、リアクタが、前記第２の制御基板に実装されるものである。これによって、電装品箱の小型化が可能となる。
【００１３】
第４の発明は、第１から第３のいずれか１つの発明の電装品箱を備える空気調和機である。これによって、空気調和機の小型化が可能となる。
【００１４】
以下、本発明の実施の形態について説明する。
【００１５】
（実施の形態１）
図１は、本発明の実施の形態１である空気調和機の電装品箱の構造を示す分解斜視図である。
【００１６】
図１に示すように、電装品箱１は、樹脂を材料とし互いに平行に近くなるように一体成型される、第１の基板ホルダである基板ホルダ２と第２の基板ホルダである基板ホルダ３とから構成される。
【００１７】
第１の制御基板である制御基板４は、発熱部品５を含む複数の電気部品が実装され、基板ホルダ２に取り付けられる。制御基板４には、放熱フィン６が取り付けられ、発熱部品５からの熱を放出する。
【００１８】
第２の制御基板である制御基板７は、リアクタ９を含み、発熱部品を含まない複数の電気部品が実装され、基板ホルダ３に設けられるスロット８に挿入される。このため、制御基板４と制御基板７とは、互いに略水平になるように設置される。
【００１９】
尚、制御基板４および制御基板７には、コンデンサ、リアクタ等の背の高いリード部品が実装されている。
【００２０】
ここで、電装品箱１により、制御基板４のリード部品を配置する部品面と、および制御基板７のリード部品を配置する部品面が、向かい合うように電装品箱１に取付けられる。従って、２つの制御基板に実装された部品が互いに接触しないように、電気部品を配置している。
【００２１】
例えば、制御基板４に片面基板を用いた場合、制御基板４にマイクロコンピュータ１７などの面実装部品を実装すると、この面実装部品が実装された反対の面（リード部品面）に空間ができる。この生じた空間に、制御基板７に実装されるリアクタ９などの高背部品を配置することで、効率良く制御基板を電装品箱１に収納することができる。
【００２２】
図２は、本実施の形態の電装品箱を有する空気調和機の室外機１０の正面図である。図２に示されるように、電装品箱１は、室外機１０の内部の、圧縮機１１と送風ファン１２とを仕切る仕切板１３の上部に収納されている。
【００２３】
制御基板７は、仕切板１３の圧縮機側の空間に配置される。放熱フィン６は、基板ホルダ２に設けられる開口部１５から仕切板１３の送風ファン１２側の空間に突出する。このため、送風ファン１２がファンモータ１４に駆動されることにより、放熱フィン６からの放熱が促進される。
【００２４】
尚、制御基板４、制御基板７、圧縮機８、ファンモータ１４はハーネスなどによって接続される。
【００２５】
上記のように構成された電装品箱１において、制御基板４と制御基板７とを垂直に配置することにより、またリアクタ９を制御基板４または制御基板７に実装することができ、電装品箱全体を小型化できる。
【００２６】
また、圧縮機１１、仕切板１３、室外機１０の背面（図示せず）、側面１６などによりできた空間に、電装品箱１を効率よく収納することができるため、室外機１０の小型化が可能となる。
【００２７】
また、制御基板７はスロット８に挿入することで取り付けられるので、制御基板７の取付けが容易になる。
【産業上の利用可能性】
【００２８】
以上のように、本発明にかかる電装品箱は、電装品箱の小型化が可能である効果を有し、空気調和機の電装品箱として有用である。
【図面の簡単な説明】
【００２９】
【図１】本発明の実施の形態１による空気調和機の電装品箱の構造を示す分解斜視図
【図２】本発明の実施の形態１による電装品箱を備える室外機の正面図
【図３】従来の空気調和機における電装品箱の構造を示す分解斜視図
【符号の説明】
【００３０】
１  電装品箱
２  基板ホルダ
３  基板ホルダ
４  制御基板
５  発熱部品
６  放熱フィン
７  制御基板
８  スロット
９  リアクタ
１０  室外機
１１  圧縮機
１２  送風ファン
１３  仕切板
１４  ファンモータ
１５  開口部
１６  室外機の側面
１７  マイクロコンピュータ
【図２】
2008261508.tif 000003
【図１】
2008261508.tif 000004
【図３】
2008261508.tif 000005